(57)【要約】【課題】部屋の壁面などに隣り合わせて家具を設置した際に、当該家具と壁面などとの間に生じる隙間を塞ぐ手段として活用出来る隙間閉塞具を提供する。【解決手段】隙間８の開口部を閉じる正面板部１０、この正面板部から直角に連設された側板部１１、この側板部の先端から連設された折り返し板部１２、及び側板部１１と折り返し板部１２とを接続するヒンジ用角部１３を備え、ヒンジ用角部１３は可撓性のある軟質合成樹脂で、他の３つの板部１０〜１２は硬質合成樹脂で、全体が一体成形され、側板部１１と折り返し板部１２が隙間８内に押し込まれることにより、折り返し板部１２が家具１の側面により、ヒンジ用角部１３を中心に折り曲げられ、正面板部１０の遊側辺部１０ａが家具１の表面に隣接する構成。【選択図】図３
2017113338.tif 000002
【特許請求の範囲】
【請求項１】
家具に隣り合う壁面などと前記家具との間の隙間を詰める閉塞具であって、前記隙間の開口部を閉じる正面板部、この正面板部から直角に連設されて、前記壁面などに沿って前記隙間の内側に入り込む側板部、この側板部の先端から前記正面板部のある側へ当該正面板部と略平行に延出する折り返し板部、及び前記側板部と前記折り返し板部とを接続するヒンジ用角部を備え、前記ヒンジ用角部は可撓性のある軟質合成樹脂で、他の３つの板部は硬質合成樹脂で、全体が一体成形され、前記側板部と折り返し板部が前記隙間内に押し込まれることにより、前記折り返し板部が前記家具の側面により、前記ヒンジ用角部を折曲点として前記正面板部に接近する方向に折り曲げられ、正面板部の遊側辺部が前記家具の表面に隣接している、家具周りの隙間閉塞具。
【請求項２】
前記正面板部は、その遊側辺部の裏側から当該正面板部の表面を経て前記側板部の外側面まで連続する化粧シート材により被覆されている、請求項１に記載の家具周りの隙間閉塞具。
【請求項３】
前記正面板部の家具の表面に隣接する遊側辺部と当該家具の表面とは、粘着又は接着されている、請求項１又は２に記載の家具周りの隙間閉塞具。
【請求項４】
前記折り返し板部の巾は、前記側板部の巾よりも狭くなっている、請求項１〜３の何れか１項に記載の家具周りの隙間閉塞具。
【発明の詳細な説明】
【技術分野】
【０００１】
本発明は、各種家具を室内に設置したときに、壁面などと当該家具との間に生じる隙間を塞ぐための閉塞具に関するものである。
【背景技術】
【０００２】
各種家具を室内に設置したときに、壁面などと当該家具との間に隙間が生じることがある。一般的には、家具の据付けを容易にするために、壁面などとの間に適当な隙間が生じるように、家具のサイズを決めておくことが行われる。この隙間をそのまま残しておくよりも、見栄えの上でも、或いは隙間内に異物が不測に入り込むのを防止する上でも、何らかの手段で隙間を塞いでおく方が望ましいが、従来は、特許文献を示すことは出来ないが、適当な板材を貼り付けて隙間を塞ぐ程度のことが知られているに過ぎない。
【発明の概要】
【発明が解決しようとする課題】
【０００３】
しかしながら、隙間が、充填剤を詰めて塞ぐことが出来る数ｍｍ程度の狭いものではなく、例えば巾が１０ｍｍに達するか又は１０ｍｍを超えるような巾広のものであれば、隙間の巾より巾広の帯状板を使用し、この帯状板の一側辺を家具の表面に重ねて、釘止め、粘着、又は接着するような解決策をとらざるを得ない。しかしこのような板材を貼り付ける解決策では、手間と時間を要するだけでなく、見栄え良く隙間を塞ぐことが容易ではない。
【課題を解決するための手段】
【０００４】
本発明は、上記のような従来の問題点を解消することのできる家具周りの隙間閉塞具を提案するものであって、本発明に係る家具周りの隙間閉塞具は、後述する実施例との関係を理解し易くするために、当該実施例の説明において使用した参照符号を括弧付きで付して示すと、家具(1)に隣り合う壁面など(7)と前記家具(1)との間の隙間(8)を詰める閉塞具(9)であって、前記隙間(8)の開口部を閉じる正面板部(10)、この正面板部(10)から直角に連設されて、前記壁面など(7)に沿って前記隙間(8)の内側に入り込む側板部(11)、この側板部(11)の先端から前記正面板部(10)のある側へ当該正面板部(10)と略平行に延出する折り返し板部(12)、及び前記側板部(11)と前記折り返し板部(12)とを接続するヒンジ用角部(13)を備え、前記ヒンジ用角部(13)は可撓性のある軟質合成樹脂で、他の３つの板部(10〜12)は硬質合成樹脂で、全体が一体成形され、前記側板部(11)と折り返し板部(12)が前記隙間(8)内に押し込まれることにより、前記折り返し板部(12)が前記家具(1)の側面により、前記ヒンジ用角部(13)を中心に前記正面板部(10)に接近する方向に折り曲げられ、正面板部(10)の遊側辺部(10a)が前記家具(1)の表面に隣接する構成になっている。
【発明の効果】
【０００５】
上記本発明の構成によれば、正面板部、側板部、折り返し板部、及びヒンジ部となる角部を含む、横断面コ字形の閉塞具全体を、所謂二色押出し成形法により一体成形することが出来るので、製品としては１部品から成る極めてシンプルな構造であって、非常に安価に実施することが出来るものであるにも拘らず、使用に際しては、前記折り返し板部の巾よりも閉塞対象の隙間が狭い場合に、その隙間の、家具とは反対側の壁面などに前記側板部を沿わせるように、当該側板部と折り返し板部とを隙間内に押し込んで、正面板部の遊側辺部を家具の表面に隣接させるだけの極めて簡単で容易な操作により、取付けが完了する。そして、この取付け状態では、ヒンジ用角部の弾性変形を伴って正面板部に接近する側へ折曲した折り返し板部と家具側面との間の圧接力で、隙間内に押し込んだ状態が保持されるので、家具の表面とこれに隣接する正面板部の遊側辺部とを、例えば両面粘着テープなどにより簡単に粘着又は接着するだけでも、正面板部が隙間を閉塞した状態に閉塞具を確実に保持させることが出来る。
【０００６】
上記本発明を実施する場合、前記正面板部(10)は、その遊側辺部(10a)の裏側から当該正面板部(10)の表面を経て前記側板部(11)の外側面まで連続する化粧シート材(14)により被覆しておくことが出来る。この構成によれば、所謂二色押出し成形法により本発明の閉塞具を一体成形する場合に、正面板部や側板部及び折り返し板部を形成する硬質合成樹脂の色彩や表面の艶に関係なく、使用状態において露出している正面板部を、前記化粧シート材により家具の表面の色彩や表面の艶に合わせることが出来るので、隙間閉塞具を違和感なく活用出来る。
【０００７】
又、家具の表面に隣接する前記正面板部の遊側辺部は、家具に釘止めすることも出来るが、両面粘着テープや接着剤などを使用して、粘着又は接着しておくのが望ましい。更に、前記折り返し板部(12)の巾を前記側板部(11)の巾よりも狭くして、使用状態において折り返し板部が側板部に重なるほどに隙間が狭くとも、問題なく使用出来るように構成するのが望ましい。
【図面の簡単な説明】
【０００８】
【図１】図１Ａは、本発明の隙間閉塞具を使用する前の状態を示す要部の横断平面図、図１Ｂは、同要部の一部省略正面図である。
【図２】図２Ａは、本発明の隙間閉塞具を使用した後の状態を示す要部の横断平面図、図２Ｂは、同要部の一部省略正面図である。
【図３】図３Ａは、本発明の隙間閉塞具を示す横断斜視図、図３Ｂは、その使用状態の拡大平面図である。
【図４】図４Ａは、本発明の第二実施例の隙間閉塞具を示す横断斜視図、図４Ｂは、その使用状態の拡大平面図である。
【発明を実施するための形態】
【０００９】
図１及び図２において、１は部屋の床面２上に設置される家具であり、この家具１と天井面３との間には、図示省略しているが、周知の突っ張り手段が介装され、この突っ張り手段を隠すように、家具１と天井面３との間の隙間は板材４により塞がれている。図示の家具１は、正面に開閉扉５を備えた収納家具であるが、如何なる用途、構造の家具１であっても良い。図では、家具１の横横側板６が壁面など７に隙間８を隔てて設置されている。尚、壁など７としては、建物の壁、部屋を仕切る仕切り用壁、造り付けの家具などの側面が含まれる。
【００１０】
図１は、家具１の横側板６と壁面など７との間の隙間８を、本発明の閉塞具で塞ぐ前の状態であり、図２は、前記隙間８の前後両開口端を本発明の閉塞具９で塞いだ状態を示している。この閉塞具９は、図３Ａに示すように、正面板部１０、この正面板部１０から直角に連設されて、前記壁面など７に沿って前記隙間８の内側に入り込む側板部１１、この側板部１１の先端辺から前記正面板部１０のある側へ当該正面板部１０と略平行に延出する折り返し板部１２、及び前記側板部１１と前記折り返し板部１２とを接続するヒンジ用角部１３を備え、前記ヒンジ用角部１３は可撓性のある軟質合成樹脂で、他の３つの板部１０〜１２は硬質合成樹脂で、全体が二色押出し成形法により一体成形されている。３つの板部１０〜１２を形成する硬質合成樹脂としては、例えばＡＢＳ樹脂が利用出来、ヒンジ用角部１３を形成する軟質合成樹脂としては、例えばエラストマー樹脂が利用出来る。
【００１１】
前記正面板部１０は、その遊側辺部１０ａの裏側から当該正面板部１０の表面を経て前記側板部１１の外側面まで連続する化粧シート材１４により被覆されている。化粧シート材１４としては、例えばラッピングシートとして知られているオレフィンシートが利用出来る。又、折り返し板部１２の巾は正面板部１０の巾よりも狭く、正面板部１０と側板部１１の板厚は略同一とし、折り返し板部１２の板厚は正面板部１０や側板部１１の板厚より薄くして撓み易くしているが、長さ方向の剛性を高めるために、折り返し板部１２の先端辺１２ａは、全長にわたって正面板部１０の側へ少し折曲させている。
【００１２】
上記構成の閉塞具９は、家具１と壁面など７との間の隙間８の巾が、折り返し板部１２の巾よりも狭いが、折り返し板部１２を正面板部１０の背面に当接するまで折曲させたときの、正面板部１０と側板部１１との境界から折り返し板部１２の先端までの距離よりも広いことを条件に使用される。そしてこの閉塞具９は、その全長が前記隙間８の全高（床面２と天井面３との間の高さ）より僅かに短く裁断されているが、勿論、複数本の閉塞具９を継ぎ足すようにして使用しても良い。使用方法は、側板部１１が壁面など７に沿うように、側板部１１と折り返し板部１２を前記隙間８内に押し込む。このとき、折り返し板部１２の先端辺１２ａが家具１の横側板６に押されて、当該折り返し板部１２がヒンジ用角部１３の弾性変形を伴って、当該ヒンジ用角部１３を中心に、場合によっては折り返し板部１２自体の撓み変形も伴いながら、正面板部１０に接近する方向に折曲される。このようにして隙間８内に閉塞具９を押し込むことにより、最終的に、正面板部１０の遊側辺部１０ａを家具１の表面、具体的には横側板６の端面に当接させる。
【００１３】
以上にように操作して閉塞具９を取り付け、隙間８を閉塞具９の正面板部１０で塞ぐことが出来るのであるが、家具１の横側板６の端面で、閉塞具９の正面板部１０の遊側辺部１０ａが重なる上下方向の帯状領域内に、両面粘着テープ１５を前以て貼付しておくことにより、閉塞具９を取り付けた最後に、正面板部１０の遊側辺部１０ａを家具１の横側板６の端面に押し付けるように操作することで、正面板部１０の遊側辺部１０ａを家具１の横側板６の端面に両面粘着テープ１５によって取り付けることが出来る。勿論、両面粘着テープ１５を正面板部１０の遊側辺部１０ａの裏面側に貼付させておくことも出来る。
【００１４】
尚、図３に示す実施例では、閉塞具９を適用出来る隙間８の巾が大幅に制限されるので、図４に示すように、側板部１０の巾を広げると共に、折り返し板部１２の巾を側板部１０の巾より狭めることにより、隙間８の巾が、折り返し板部１２の巾よりも狭く且つ、側板部１０と折り返し板部１２とが重なったときの両者の厚みより広い範囲内であれば、閉塞具９を問題なく使用することが出来る。
【００１５】
又、本発明の隙間閉塞具は、家具１の横側板６と壁面など７との間の垂直向きの隙間８の閉塞に使用した実施例を示したが、場合によっては、家具１の天井側の上側板と天井面３との間の隙間を塞ぐ手段としても活用出来る。更に、隙間８の前後両開口端を閉塞具９で閉じるように図示したが、隙間８の前後両開口端の内、人目に付く側のみを閉塞具９で塞ぐことも出来る。
【産業上の利用可能性】
【００１６】
本発明の家具周りの隙間閉塞具は、部屋の壁面などに隣り合わせて家具を設置した際に、当該家具と壁面などとの間に生じる隙間を塞ぐ手段として活用出来る。
【符号の説明】
【００１７】
１    家具
２    床面
３    天井面
４    家具の横側板
７    壁面など
８    隙間
９    閉塞具
１０    正面板部
１０ａ    遊側辺部
１１    側板部
１２    折り返し板部
１２ａ    先端辺
１３    ヒンジ用角部
１４    化粧シート材
１５    両面粘着テープ
【図１】
2017113338.tif 000003
【図２】
2017113338.tif 000004
【図３】
2017113338.tif 000005
【図４】
2017113338.tif 000006